(57)【要約】【課題】  映像処理装置及びその制御方法、並びに映像処理システムを提供する。【解決手段】  この映像処理装置は、映像信号を映像で表示されるように処理する映像処理部と、ユーザーの発話が入力される音声入力部と、発話に対応する音声命令に応じて、既に設定された対応動作が行われるように処理する音声処理部と、音声入力部に入力される発話に対して音声処理部による対応動作がマッチングされない場合に、音声命令に対する対応動作を調整可能に提供し、調整結果に基づいて、発話にマッチングする対応動作が行われるように制御する制御部と、を備える。【選択図】      図４
2014132370.tif 000002
【特許請求の範囲】
【請求項１】
映像処理装置において、
映像信号を映像で表示されるように処理する映像処理部と、
ユーザーの発話が入力される音声入力部と、
前記発話に対応する音声命令に応じて、既に設定された対応動作が行われるように処理する音声処理部と、
前記音声入力部に入力された前記発話に、前記音声処理部による前記対応動作がマッチングされない場合に、前記音声命令に対する前記対応動作を調整可能にし、前記調整結果に基づいて、前記発話にマッチングされる前記対応動作が行われるように制御する制御部と、
を備えることを特徴とする、映像処理装置。
【請求項２】
前記制御部は、前記音声命令に対する前記対応動作の指定状態を調整するＵＩ映像を提供し、該ＵＩ映像を介して、前記ＵＩ映像を通じて所定の発話の音声命令に対応するように指定された前記対応動作が、第１の動作から第２の動作に調整される場合に、前記発話が入力されると前記第２の動作が行われるように制御することを特徴とする、請求項１に記載の映像処理装置。
【請求項３】
前記ＵＩ映像は、ユーザーが発話するように案内し、
前記制御部は、前記ＵＩ映像の案内に従って前記音声入力部に前記発話が入力されると、 既に設定された複数の前記動作のうち、前記発話の前記音声命令に対応するいずれか一つを前記第２の動作として選択することを特徴とする、請求項２に記載の映像処理装置。
【請求項４】
前記ＵＩ映像は、ユーザーにより操作されるユーザー入力部に設けられた複数の入力ボタンを操作するように案内し、
前記制御部は、前記既に設定された複数の動作のうち、前記案内に従って操作された前記入力ボタンに既に指定された動作を前記第２の動作として選択することを特徴とする、請求項３に記載の映像処理装置。
【請求項５】
前記ＵＩ映像は、前記既に設定された複数の動作のリストを含み、
前記制御部は、前記リスト上で選択された前記動作を前記第２の動作として選択することを特徴とする、請求項３に記載の映像処理装置。
【請求項６】
前記ＵＩ映像は、複数の前記発話と、前記複数の発話にそれぞれ対応する複数の前記動作を一つの前記発話によって順次に実行するマクロインストラクションを設定可能に提供することを特徴とする、請求項１に記載の映像処理装置。
【請求項７】
前記制御部は、前記マクロインストラクションが含む前記複数の既に設定された動作のうち、最初の動作に対応する前記発話が入力されると、前記マクロインストラクションを実行させることを特徴とする、請求項６に記載の映像処理装置。
【請求項８】
サーバーに通信可能に接続される通信部をさらに備え、
前記制御部は、前記発話が入力されると、前記音声処理部及び前記サーバーのいずれか一方により前記発話に対応する前記音声命令が処理されるように制御することを特徴とする、請求項１に記載の映像処理装置。
【請求項９】
前記通信部は、前記発話をテキストの音声命令に変換するＳＴＴ（ｓｐｅｅｃｈ−ｔｏ−ｔｅｘｔ）サーバーと通信し、
前記制御部は、前記音声入力部に前記発話が入力されると、前記発話の音声信号を前記ＳＴＴサーバーに伝送し、前記ＳＴＴサーバーから前記発話に対応する前記音声命令を受信することを特徴とする、請求項８に記載の映像処理装置。
【請求項１０】
前記制御部は、前記音声命令が短文であると、該音声命令が前記音声処理部により処理され、前記音声命令が対話文であると、該音声命令が前記サーバーにより処理されるように制御することを特徴とする、請求項８に記載の映像処理装置。
【請求項１１】
前記映像処理部により処理された前記映像信号を映像として表示するディスプレイ部をさらに備えることを特徴とする、請求項１に記載の映像処理装置。
【請求項１２】
映像処理装置の制御方法において、
ユーザーの発話を受信するステップと、
前記発話に対応する音声命令に応じて、既に設定された対応動作を行うステップと、
前記発話に対して前記対応動作がマッチングされない場合に、前記音声命令に対する前記対応動作を調整可能に提供し、前記調整結果に基づいて、前記発話にマッチングする前記対応動作が行われるように設定するステップと、
を含むことを特徴とする、映像処理装置の制御方法。
【請求項１３】
前記設定するステップは、
前記音声命令に対する前記対応動作の指定状態を調整するＵＩ映像を提供するステップと、
前記ＵＩ映像を介して、所定の発話の音声命令に対応するように指定された前記対応動作が第１の動作から第２の動作に調整される場合に、前記発話が入力されると前記第２の動作が行われるように設定するステップと、
を含むことを特徴とする、請求項１２に記載の映像処理装置の制御方法。
【請求項１４】
前記ＵＩ映像は、複数の前記発話と、該複数の発話にそれぞれ対応する複数の前記動作を一つの前記発話によって順次に実行するマクロインストラクションを設定可能に提供することを特徴とする、請求項１２に記載の映像処理装置の制御方法。
【発明の詳細な説明】
【技術分野】
【０００１】
本発明は、外部から入力される放送信号などの映像信号が映像で表示されるように処理する映像処理装置及びその制御方法、並びに映像処理システムに関する。特に、ユーザーの音声命令を認識して該音声命令に対応する機能または動作を実行できる構造の映像処理装置及びその制御方法、並びに映像処理システムに関する。
【背景技術】
【０００２】
映像処理装置は、外部から入力される映像信号／映像データを様々な映像処理プロセスに従って処理する。映像処理装置は、一体に備えられているディスプレイパネル上に、該処理された映像信号を映像として表示したり、または、パネルを備えている別個のディスプレイ装置で映像として表示されるように、当該処理された映像信号を当該ディスプレイ装置に出力する。すなわち、映像処理装置は、映像信号を処理可能な装置であれば、映像表示可能なパネルを有しているものであってもよく、パネルを有していないものであってもよい。前者の例示にはＴＶがあり、後者の例示にはセットトップボックス（ｓｅｔ−ｔｏｐ  ｂｏｘ）がある。
【０００３】
映像処理装置は、技術の発展に伴って様々な機能の追加及び拡張が続いており、一例として、映像処理装置においてユーザーの意図を反映したコマンドを映像処理装置に入力する構成についても様々な構造または方法が提案されてきている。例えば、従来は、ユーザーがリモートコントローラ（ｒｅｍｏｔｅ  ｃｏｎｔｒｏｌｌｅｒ）上のキー／ボタンを押すと、リモートコントローラがユーザー所望の動作を実行させる制御信号を映像処理装置に伝送する構成であったが、最近では、映像処理装置がユーザーのモーションまたは発話などを感知し、感知した内容を分析して対応動作を実行させるなど、ユーザーの意図を反映して映像処理装置を制御する様々な構成が提案されている。
【発明の概要】
【発明が解決しようとする課題】
【０００４】
本発明は、映像処理装置がユーザーの音声を認識して動作する構造下で、映像処理装置の音声対応動作がユーザーの意図を的確に反映できるようにすることを目的とする。
【課題を解決するための手段】
【０００５】
本発明の実施例に係る映像処理装置は、映像信号を映像で表示されるように処理する映像処理部と、ユーザーの発話が入力される音声入力部と、前記発話に対応する音声命令に応じて、既に設定された対応動作が行われるように処理する音声処理部と、前記音声入力部に入力される前記発話に対して前記音声処理部による前記対応動作がマッチングされない場合に、前記音声命令に対する前記対応動作を調整可能に提供し、前記調整結果に基づいて、前記発話にマッチングする前記対応動作が行われるように制御する制御部と、を備えることを特徴とする。
【０００６】
ここで、前記制御部は、前記音声命令に対する前記対応動作の指定状態を調整するＵＩ映像を提供し、該ＵＩ映像を介して、所定の発話の音声命令に対応するように指定された前記対応動作が、第１の動作から第２の動作に調整される場合に、前記発話が入力されると前記第２の動作が行われるように制御してもよい。
【０００７】
ここで、前記ＵＩ映像は、ユーザーが発話するように案内し、前記制御部は、前記ＵＩ映像の案内に従って前記音声入力部に前記発話が入力されると、 既に設定された複数の前記動作のうち、前記発話の前記音声命令に対応するいずれか一つを前記第２の動作として選択してもよい。
【０００８】
ここで、前記ＵＩ映像は、ユーザーにより操作されるユーザー入力部に設けられた複数の入力ボタンを操作するように案内し、前記制御部は、前記既に設定された複数の動作のうち、前記案内に従って操作された前記入力ボタンに既に指定された動作を前記第２の動作として選択してもよい。
【０００９】
また、前記ＵＩ映像は、前記既に設定された複数の動作のリストを含み、前記制御部は、前記リスト上で選択された前記動作を前記第２の動作として選択してもよい。
【００１０】
また、前記ＵＩ映像は、複数の前記発話と、前記複数の発話にそれぞれ対応する複数の前記動作を一つの前記発話により順次に実行するマクロインストラクション（ｍａｃｒｏ  ｉｎｓｔｒｕｃｔｉｏｎ）を設定可能に提供してもよい。
【００１１】
ここで、前記制御部は、前記マクロインストラクションが含む前記複数の既に設定された動作のうち、最初の動作に対応する前記発話が入力されると、前記マクロインストラクションを実行させてもよい。
【００１２】
また、前記映像処理装置は、サーバーに通信可能に接続される通信部をさらに備え、前記制御部は、前記発話が入力されると、前記音声処理部及び前記サーバーのいずれか一方により前記発話に対応する前記音声命令が処理されるように制御してもよい。
【００１３】
ここで、前記通信部は、前記発話をテキストの音声命令に変換するＳＴＴ（ｓｐｅｅｃｈ−ｔｏ−ｔｅｘｔ）サーバーと通信し、前記制御部は、前記音声入力部に前記発話が入力されると、前記発話の音声信号を前記ＳＴＴサーバーに伝送し、前記ＳＴＴサーバーから前記発話に対応する前記音声命令を受信してもよい。
【００１４】
また、前記制御部は、前記音声命令が短文であると、該音声命令が前記音声処理部により処理され、前記音声命令が対話文であると、該音声命令が前記サーバーにより処理されるように制御してもよい。
【００１５】
また、前記映像処理装置は、前記映像処理部により処理される前記映像信号を映像として表示するディスプレイ部をさらに備えてもよい。
【００１６】
また、本発明の実施例に係る映像処理装置の制御方法は、ユーザーの発話が入力されるステップと、前記発話に対応する音声命令に応じて、既に設定された対応動作を行うステップと、前記発話に対して前記対応動作がマッチングされない場合に、前記音声命令に対する前記対応動作を調整可能に提供し、前記調整結果に基づいて、前記発話にマッチングする前記対応動作が行われるように設定するステップと、を含むことを特徴とする。
【００１７】
ここで、前記設定ステップは、前記音声命令に対する前記対応動作の指定状態を調整するＵＩ映像を提供するステップと、前記ＵＩ映像を介して、所定の発話の音声命令に対応するように指定された前記対応動作が第１の動作から第２の動作に調整される場合に、前記発話が入力されると前記第２の動作が行われるように設定するステップと、を含んでもよい。
【００１８】
ここで、前記ＵＩ映像はユーザーが発話するように案内し、前記設定することは、前記ＵＩ映像の案内に従って前記発話が入力されると、 既に設定された複数の前記動作のうち、前記発話の前記音声命令に対応するいずれか一つを前記第２の動作として選択するステップを含むことができる。
【００１９】
ここで、前記ＵＩ映像は、前記映像処理装置のユーザー入力部に設けられた複数の入力ボタンを操作するように案内し、前記設定ステップは、前記既に設定された複数の動作のうち、前記案内に従って操作された前記入力ボタンに既に指定された動作を前記第２の動作として選択するステップを含むことができる。
【００２０】
また、前記ＵＩ映像は、前記既に設定された複数の動作のリストを含み、前記設定ステップは、前記リスト上で選択された前記動作を前記第２の動作として選択するステップを含むことができる。
【００２１】
また、前記ＵＩ映像は、複数の前記発話と、前記複数の発話にそれぞれ対応する複数の前記動作を一つの前記発話により順次に実行するマクロインストラクションを設定可能に提供してもよい。
【００２２】
ここで、前記マクロインストラクションが含む前記複数の既に設定された動作のうち、最初の動作に対応する前記発話が入力されると前記マクロインストラクションを実行するステップをさらに含んでもよい。
【００２３】
また、前記映像処理装置は、サーバーと通信し、前記既に設定された対応動作を行うステップは、前記映像処理装置及び前記サーバーのいずれか一方により前記発話に対応する前記音声命令が処理されるように制御することを含んでもよい。
【００２４】
ここで、前記映像処理装置は、前記発話をテキストの音声命令に変換するＳＴＴサーバーと通信し、前記ユーザーの発話が入力されるステップとは、前記発話の音声信号を前記ＳＴＴサーバーに伝送するステップと、前記ＳＴＴサーバーから前記発話に対応する前記音声命令を受信するステップと、を含んでもよい。
【００２５】
また、前記制御ステップは、前記音声命令が短文であると前記音声命令が前記映像処理装置により処理され、前記音声命令が対話文であると前記音声命令が前記サーバーにより処理されるように制御するステップと、を含んでもよい。
【００２６】
また、本発明の実施例に係る映像処理システムは、映像信号を映像で表示されるように処理する映像処理装置と、前記映像処理装置と通信するサーバーと、を備え、前記映像処理装置は、ユーザーの発話が入力される音声入力部と、前記発話に対応する音声命令に応じて、既に設定された対応動作が行われるように処理する音声処理部と、前記音声入力部を介して前記発話が入力されると、前記音声処理部及び前記サーバーのいずれか一方により前記発話に対応する前記音声命令が処理されるように制御する制御部と、を備え、前記制御部は、前記音声入力部に入力される前記発話に対して前記音声処理部による前記対応動作がマッチングされない場合に、前記音声命令に対する前記対応動作を調整可能に提供し、前記調整結果に基づいて、前記発話にマッチングする前記対応動作が行われるように制御することを特徴とする。
【発明の効果】
【００２７】
本発明によれば、ユーザーの意図を的確に反映して映像処理装置の音声認識動作を修正することができる。
【図面の簡単な説明】
【００２８】
【図１】本発明の第１の実施例に係るディスプレイ装置の構成を示すブロック図である。
【図２】図１のディスプレイ装置及びサーバーとのインタラクション構造を示すブロック図である。
【図３】図２のディスプレイ装置または対話形サーバーに保存されている、音声命令に対応する動作のデータベースを例示する図である。
【図４】図２のディスプレイ装置において、音声命令の設定のためのＵＩ映像を例示する図である。
【図５】図２のディスプレイ装置において、音声命令の設定のためのＵＩ映像を例示する図である。
【図６】図２のディスプレイ装置において、音声命令の設定のためのＵＩ映像を例示する図である。
【図７】本発明の第２の実施例に係るディスプレイ装置において設定可能なマクロインストラクションのシーケンスを例示する図である。
【図８】図７のマクロインストラクションを設定するためのＵＩ映像を例示する図である。
【図９】図７のマクロインストラクションを設定するためのＵＩ映像を例示する図である。
【図１０】図７のマクロインストラクションを設定するためのＵＩ映像を例示する図である。
【図１１】図７のマクロインストラクションを設定するためのＵＩ映像を例示する図である。
【図１２】図７のマクロインストラクションを設定するためのＵＩ映像を例示する図である。
【発明を実施するための形態】
【００２９】
以下、添付の図面を参照して本発明について詳細に説明する。以下の実施例では、本発明の思想と直接的に関連している構成についてのみ説明し、それ以外の構成については説明を省略する。ただし、これら説明の省略された構成が、本発明の思想が適用された装置またはシステムを実施するにあたって不要であるということを意味するわけではない。
【００３０】
図１は、本発明の実施例に係る映像処理装置１００の構成を示すブロック図である。
【００３１】
以下の実施例は、映像処理装置１００が、映像を表示できるディスプレイ部を一体として有するディスプレイ装置である場合について説明するが、本発明の思想は、映像処理装置１００が直接映像を表示せずに、別個のディスプレイ装置に映像信号／制御信号を出力する構造にも適用可能であるため、以下に説明する実施例に限定されない。従って、本実施例では映像処理装置１００をＴＶとして説明するが、映像処理装置１００は様々な実施形態に変更可能である。
【００３２】
図１に示すように、本実施例に係る映像処理装置１００またはディスプレイ装置１００は、映像供給源（図示せず）から映像信号を受信する。ディスプレイ装置１００が受信可能な映像信号の種類または特性は特に限定されず、例えば、ディスプレイ装置１００は、放送局の送出装置（図示せず）から送出された放送信号を受信し、該放送信号をチューニングして放送映像を表示することができる。
【００３３】
ディスプレイ装置１００は、映像供給源（図示せず）から映像信号を受信する映像受信部１１０と、映像受信部１１０に受信された映像信号を、既に設定された映像処理プロセスに従って処理する映像処理部１２０と、映像処理部１２０で処理された映像信号に基づいて映像を表示するディスプレイ部１３０と、サーバー１０のような外部装置と通信する通信部１４０と、ユーザーにより操作されるユーザー入力部１５０と、外部からの音または声が入力される音声入力部１６０と、音声入力部１６０に入力された声／音を解析及び処理する音声処理部１７０と、データ／情報が記憶される記憶部１８０と、ディスプレイ装置１００の諸般動作を制御する制御部１９０と、を備えている。
【００３４】
映像受信部１１０は、映像信号／映像データを有線または無線で受信して映像処理部１２０に伝達する。映像受信部１１０は、受信した映像信号の規格及びディスプレイ装置１００の具現形態に対応して様々な方式にすればよい。例えば、映像受信部１１０は、ＲＦ（ｒａｄｉｏ  ｆｒｅｑｕｅｎｃｙ）信号を受信したり、コンポジット（ｃｏｍｐｏｓｉｔｅ）ビデオ、コンポーネント（ｃｏｍｐｏｎｅｎｔ）ビデオ、スーパービデオ（ｓｕｐｅｒ  ｖｉｄｅｏ）、ＳＣＡＲＴ、ＨＤＭＩ（登録商標（ｈｉｇｈ  ｄｅｆｉｎｉｔｉｏｎ  ｍｕｌｔｉｍｅｄｉａ  ｉｎｔｅｒｆａｃｅ）、ディスプレイポート（Ｄｉｓｐｌａｙ  Ｐｏｒｔ）、ＵＤＩ（ｕｎｉｆｉｅｄ  ｄｉｓｐｌａｙ  ｉｎｔｅｒｆａｃｅ）、またはワイヤレス（ｗｉｒｅｌｅｓｓ）ＨＤ規格などに基づく映像信号を受信することができる。映像受信部１１０は、映像信号が放送信号である場合に、この放送信号をチャネル別にチューニングするチューナー（ｔｕｎｅｒ）を有する。
【００３５】
映像処理部１２０は、映像受信部１１０に受信された映像信号に様々な映像処理プロセスを行い、該プロセスの行われた映像信号をディスプレイ部１３０に出力して、該映像信号に基づく映像がディスプレイ部１３０に表示されるようにする。例えば、映像処理部１２０は、映像受信部１１０で特定チャネルに放送信号がチューニングされると、放送信号から当該チャネルに対応する映像、音声及び付加データを抽出して、既に設定された解像度に調整してディスプレイ部１３０に表示させる。
【００３６】
映像処理部１２０が行う映像処理プロセスの種類は限定されず、例えば、映像データの映像フォーマットに対応するデコーディング（ｄｅｃｏｄｉｎｇ）、インターレース（ｉｎｔｅｒｌａｃｅ）方式の映像データをプログレッシブ（ｐｒｏｇｒｅｓｓｉｖｅ）方式で変換するデインターレーシング（ｄｅ−ｉｎｔｅｒｌａｃｉｎｇ）、映像データを既に設定された解像度に調整するスケーリング（ｓｃａｌｉｎｇ）、映像画質の改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換などを挙げることができる。
【００３７】
映像処理部１２０は、このような種々の機能を統合したＳＯＣ（ｓｙｓｔｅｍ−ｏｎ−ｃｈｉｐ）、またはこのような各プロセスを独自で行える個別の構成が印刷回路基板上に装着されてなる映像処理ボード（図示せず）で具現され、ディスプレイ装置１００内に組み込まれる。
【００３８】
ディスプレイ部１３０は、映像処理部１２０から出力される映像信号に基づいて映像を表示する。ディスプレイ部１３０の具現方式は限定されず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導型電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）などの様々なディスプレイ方式にすればよい。
【００３９】
ディスプレイ部１３０は、その具現方式によって異なる構成を備えることができる。例えば、ディスプレイ部１３０を液晶方式にした場合は、ディスプレイ部１３０は、液晶ディスプレイパネル（図示せず）と、これに光を供給するバックライトユニット（図示せず）と、パネル（図示せず）を駆動させるパネル駆動基板（図示せず）と、を備える。
【００４０】
通信部１４０は、ディスプレイ装置１００がサーバー１０と両方向通信を行うようにデータの送受信を行う。通信部１４０は、サーバー１０の通信プロトコル（ｐｒｏｔｏｃｏｌ）に基づいて、有線／無線による広帯域／近距離ネットワークやローカル接続方式でサーバー１０に接続する。
【００４１】
ユーザー入力部１５０は、ユーザーの操作及び入力に応じて、既に設定された様々な制御コマンドまたは情報を制御部１９０に伝達する。ユーザー入力部１５０は、ディスプレイ装置１００の外側に設けられたメニューキー（ｍｅｎｕ−ｋｅｙ）または入力パネル（ｐａｎｅｌ）や、ディスプレイ装置１００と分離した遠隔のリモートコントローラなどでよい。または、ユーザー入力部１５０はディスプレイ部１３０と一体型であってもよく、例えば、ディスプレイ部１３０をタッチスクリーン（ｔｏｕｃｈ−ｓｃｒｅｅｎ）にした場合に、ユーザーは、ディスプレイ部１３０に表示された入力メニュー（図示せず）をタッチすることによって、既に設定されたコマンドを制御部１９０に伝達することもできる。
【００４２】
音声入力部１６０はマイクとすることができ、ディスプレイ装置１００の外部環境で発生する様々な声を感知する。音声入力部１６０が感知する声には、ユーザーによる発話、及びユーザー以外の様々な要因により発生する声が含まれる。
【００４３】
音声処理部１７０は、ディスプレイ装置１００で行われる様々な既に設定されたプロセスのうち、音声入力部１６０に入力される音／声に対するプロセスを行う。ここで、音声処理部１７０が処理する「音声」は、音声入力部１６０に入力される音声のことを指す。映像処理部１２０が映像信号を処理する際に、該映像信号にも音声データが含まれることがあるが、この映像信号に含まれた音声データは映像処理部１２０で処理される。
【００４４】
音声処理部１７０は、音声入力部１６０に音／声が入力されると、入力された音／声が、ユーザーによる発話なのか、その他の要因により発生した声なのかを判断する。この判断方法は、特に限定されず、様々な方法を適用することができる。例えば、入力された音／声が人の声に対応する波長／周波数帯域に該当するのか判断する方法、または事前に指定されたユーザーの音声のプロファイルに該当するのか判断する方法などが可能である。
【００４５】
音声処理部１７０は、ユーザーの発話が入力されたと判断すると、当該発話に対応する音声命令に応じて、既に設定された対応の動作が行われるように処理する。ここで、音声命令は、ユーザーの発話の内容を意味する。これに関する詳細な内容は後述する。
【００４６】
本実施例では、音声処理部１７０を映像処理部１２０と別個の構成としているが、これは、便宜上、実施例をより明確に説明するために機能別に分類したものであり、本発明の思想が具現されたディスプレイ装置１００において必ずしも映像処理部１２０と音声処理部１７０とが分離されていることを意味するわけではない。すなわち、ディスプレイ装置１００は、映像処理部１２０及び音声処理部１７０を統合した信号処理部（図示せず）を備える構成にしてもよい。
【００４７】
記憶部１８０は、制御部１９０の制御に応じて、限定されないデータを記憶する。記憶部１８０は、フラッシュメモリ（ｆｌａｓｈ−ｍｅｍｏｒｙ）、ハードディスクドライブ（ｈａｒｄ−ｄｉｓｃ  ｄｒｉｖｅ）のような非揮発性メモリとすることができる。記憶部１８０は、制御部１９０、映像処理部１２０または音声処理部１７０などによりアクセスされて、データの読み取り／書き込み／修正／削除／更新などが行われる。
【００４８】
制御部１９０は、音声入力部１６０を介してユーザーの発話が入力されると、入力された発話を処理するように音声処理部１７０を制御する。このとき、制御部１９０は、発話が入力されると、該発話に対応する音声命令が短文なのか対話文なのか判断し、判断結果に基づいて、当該音声命令が音声処理部１７０またはサーバー１０で処理されるように制御する。具体的に、制御部１９０は、音声命令が短文であると、音声処理部１７０で処理されるようにし、音声命令が対話文であると、通信部１４０を介してサーバー１０に伝送することによってサーバー１０で処理されるようにする。
【００４９】
図２は、ディスプレイ装置１００及びサーバー２０，３０のインタラクション構造を示すブロック図である。図２に示すように、ディスプレイ装置１００は、通信部１４０と、音声入力部１６０と、音声処理部１７０と、制御部１９０と、を備える。これらの構成は、図１で説明した通りである。ここで、通信部１４０は、ユーザーの発話を音声命令に変換するＳＴＴ（ｓｐｅｅｃｈ−ｔｏ−ｔｅｘｔ）サーバー２０と、音声命令を分析することによって音声命令に対応する対応動作を判断する対話形サーバー３０に接続する。
【００５０】
ＳＴＴサーバー２０は、音声信号が受信されると、当該音声信号の波形を分析することによって音声信号の内容をテキストとして生成する。ＳＴＴサーバー２０は、ディスプレイ装置１００からユーザーの発話の音声信号を受信すると、これを音声命令に変換する。
【００５１】
対話形サーバー３０は、音声命令に対応する様々なディスプレイ装置１００の動作に関するデータベースを有している。対話形サーバー３０は、ディスプレイ装置１００から受信した音声命令を分析し、分析結果に基づいて当該音声命令に対応する動作を行うための制御信号をディスプレイ装置１００に伝送する。制御部１９０は、音声入力部１６０にユーザーの発話が入力されると、該発話の音声信号をＳＴＴサーバー２０に伝送し、ＳＴＴサーバー２０から該発話に対応する音声命令を受信する。
【００５２】
制御部１９０は、ＳＴＴサーバー２０から受信した音声命令が短文及び対話文のいずれに該当するか判断する。制御部１９０は、音声命令が短文であると、音声処理部１７０で処理されるようにし、音声命令が対話文であると対話形サーバー３０で処理されるようにする。
【００５３】
音声命令が短文であると、音声処理部１７０は、制御部１９０の制御によって記憶部１８０に保存されたデータベースを検索することによって、当該音声命令に対応するディスプレイ装置１００の機能または動作を特定する。制御部１９０は、このように特定した動作が実行されるように制御する。
【００５４】
一方、音声命令が対話文であると、制御部１９０は、当該音声命令を対話形サーバー３０に伝送する。対話形サーバー３０は、ディスプレイ装置１００から受信した音声命令を分析することによってディスプレイ装置１００の動作を特定する。対話形サーバー３０は、このように特定した動作を指示する制御信号をディスプレイ装置１００に伝送することによって、ディスプレイ装置１００が該制御信号に応じて動作を実行するようにする。
【００５５】
これで、ユーザーの発話による、ディスプレイ装置１００の既に設定された対応の動作が実行される。
【００５６】
このように、音声命令が短文か対話文かによって音声命令の処理主体が選択される過程は、ディスプレイ装置１００のシステム負荷と処理能力などに起因する。対話文は自然語であるから、対話文の音声命令からユーザー所望の対応動作を機械的に抽出することが相対的に難しい。そのため、ディスプレイ装置１００の限定された資源で対話文の音声命令を分析することは容易でなく、よって、対話文の音声命令は対話形サーバー３０で処理されるようにすることで、様々な内容の発話に対応可能にする。
【００５７】
ただし、このような構造は様々な変更設計が可能であり、例えば、ＳＴＴサーバー２０及び対話形サーバー３０の少なくとも一つのプロセスを、ディスプレイ装置１００自体で行うこともできる。例えば、ディスプレイ装置１００は、ユーザーの発話を音声命令に変換するプロセスや、対話文の音声命令を分析するプロセスを、別個のサーバー２０,３０ではなく、ディスプレイ装置１００自体で行うこともできる。
【００５８】
このような構成において、制御部１９０は、ユーザーの発話に対応する音声命令に対応する動作を特定するプロセスが音声処理部１７０または対話形サーバー３０で処理されるように制御する。以下、本実施例では、制御部１９０が音声処理部１７０を制御して音声命令に対応するディスプレイ装置１００の動作を特定する構成について説明する。対話形サーバー３０が音声命令に対応するディスプレイ装置１００の動作を特定する構成は、以下に説明する実施例を応用すればいいので、その詳細な説明は省略する。
【００５９】
図３は、ディスプレイ装置１００または対話形サーバー３０に保存されている、音声命令に対応する動作のデータベース２１０を例示する図である。図３に示すように、記憶部１８０は、ユーザーの発話に対応する音声命令を、ディスプレイ装置１００が行いうる様々な機能または動作と関連付けたデータベース２１０を保存する。ここで、「動作」は、ディスプレイ装置１００が実行でき、ディスプレイ装置１００が支援可能な全ての形態の動作及び機能を意味する。
【００６０】
制御部１９０は、所定の音声命令を使ってデータベース２１０を検索することによって、当該音声命令に対応する動作を判断することができる。
【００６１】
本実施例におけるデータベース２１０は、データベース２１０を構築する原理または方式の一例を示すもので、本発明の思想を限定するものではない。また、同図のデータベース２１０は、一つの命令が一つの動作に対応するとしたが、これは実施例を簡略に説明するためのものに過ぎない。実に、データベース２１０は、複数の命令が一つの動作に対応することもできる。なお、同図で、データベース２１０の番号は区別のために便宜上付けたものである。
【００６２】
例えば、ユーザーの発話に対応する音声命令が「つけて（ｔｕｒｎ−ｏｎ）」であると、制御部１９０は、「つけて」という音声命令を使ってデータベース２１０を検索することによって、「つけて」という音声命令に対応する動作が「システム電源をつける」であるということがわかる。
【００６３】
このとき、制御部１９０は、ディスプレイ装置１００の現在状態を考慮して当該動作を選択的に行うことができる。制御部１９０は、現在、ディスプレイ装置１００の電源がついていると、「システム電源をつける」動作を行わず、ディスプレイ装置１００が電源が切れていると、システム電源がつくようにディスプレイ装置１００を制御する。
【００６４】
他の例として、現在、ディスプレイ装置１００上に映像が表示されている状態で、ユーザーが「うるさい」と発話すると、制御部１９０は、データベース２１０に基づいて「うるさい」という音声命令に該当する動作を「ミュート（ｍｕｔｅ）」と特定することができる。これに応じて、制御部１９０は、現在表示されている映像のボリュームを０に調整することによって、ミュート動作が行われるようにする。
【００６５】
他の例として、現在、ディスプレイ装置１００上に映像が表示されている状態で、ユーザーが「聞こえない」と発話すると、制御部１９０は、データベース２１０に基づいて「聞こえない」という命令に該当する動作が「現在のボリュームから５レベルを上げる」であるということがわかる。これに応じて、制御部１９０は、現在表示されている映像のボリュームを５レベル上げる。
【００６６】
このような方法で、制御部１９０は、ユーザーの発話に対応する動作が行われるように制御することができる。
【００６７】
ところが、このようなユーザー音声命令を認識する構造では、ユーザーごとに発声方法及び構造が異なる点から、ＳＴＴサーバー２０または音声処理部１７０の音声認識ロジック（ｌｏｇｉｃ）がユーザーの発声を解析する際に、常に正確な結果を導出するわけではない。
【００６８】
例えば、ユーザーが「つけて」と発話した場合に、ＳＴＴサーバー２０は、「つけて」に対応する音声命令ではなく、他の内容の音声命令に変換することもある。変換された音声命令がデータベース２１０にないと、制御部１９０は、当該音声命令に対応する動作を行うことができない。
【００６９】
または、変換された音声命令がデータベース２１０にあるが、ユーザーの音声命令と異なる場合もある。例えば、ユーザーが「つけて」と発話したが、変換された音声命令が「消して」になると、制御部１９０は、当該音声命令に対応する動作を「システム電源を消す」と判断するはずである。その結果、ユーザーの「つけて」という発話に対して、ユーザーの意図とは違い、ディスプレイ装置１００のシステム電源が消えてしまう。
【００７０】
このような点を考慮して、本実施例では下記の方法を提案する。
【００７１】
制御部１９０は、音声入力部１６０に入力されるユーザーの発話に対応する動作がマッチングされない場合に、ユーザー入力部１５０を介してユーザーが音声命令に対応する動作を調整できるように提供する。その後、同じ発話が音声入力部１６０に入力されると、制御部１９０は、調整結果に応じて当該発話にマッチングされる対応動作が行われるように制御する。
【００７２】
具体的に、制御部１９０は、既に設定されたイベントが発生すると、データベース２１０で音声命令及び対応動作間の相互連結指定状態を調整するＵＩ（ｕｓｅｒ  ｉｎｔｅｒｆａｃｅ）映像を提供する。ここで、既に設定されたイベントは、ユーザーによるユーザー入力部１５０の操作またはユーザーの発話によってＵＩ映像の提供を要請するコマンドが発生する場合に該当する。
【００７３】
制御部１９０は、所定の第１の命令に対応するように第１の動作が指定された初期状態で、ＵＩ映像を介して第１の命令に対応する動作が、第１の動作と異なる第２の動作に調整されると、このような調整に従ってデータベース２１０をアップデートする。その後、制御部１９０は、ユーザーからの発話に対応する音声命令が第１の命令である場合に、アップデートされたデータベース２１０に基づいて第１の動作ではなく第２の動作を行う。
【００７４】
制御部１９０は、第１の命令に対応するように第１の動作が指定された初期状態で、新しい音声命令である第２の命令が第１の動作に対応するように指定されると、この調整に従ってデータベース２１０をアップデートする。その後、制御部１９０は、ユーザーからの発話に対応する音声命令が第１の命令または第２の命令である場合に、アップデートされたデータベースに基づいて第１の動作を行う。
【００７５】
これにより、ユーザーの意図を適切に反映して音声認識動作を修正することができる。
【００７６】
以下、ＵＩ映像を介して音声命令の設定を変更する方法について説明する。
【００７７】
図４乃至図６は、音声命令の設定のためのＵＩ映像２２０，２３０，２４０を示す図である。
【００７８】
図４に示すように、ユーザーは、ユーザー入力部１５０を操作して、発話に対応する音声命令の設定を変更するために、ＵＩ映像２２０の表示を制御部１９０に要請する。すると、制御部１９０はＵＩ映像２２０を表示する。
【００７９】
ＵＩ映像２２０は、ユーザーの設定を反映しようとする発話及び音声命令を特定するために、ユーザーが発話するように案内する情報を含む。すると、ユーザーは、ＵＩ映像２２０が表示されている間に音声命令を発話する。
【００８０】
制御部１９０は、ＵＩ映像２２０が表示されている間に音声入力部１６０を介してユーザーの発話が入力されると、当該発話が音声処理部１７０またはＳＴＴサーバー２０で音声命令に変換されるようにする。
【００８１】
図５に示すように、制御部１９０は、データベース２１０（図３参照）にある様々なディスプレイ装置１００の動作のうち、入力された音声命令に対応する動作を特定するために、ユーザー所望の動作の指定を案内するＵＩ映像２３０を表示する。
【００８２】
ＵＩ映像２３０は、以前のＵＩ映像２２０（図４参照）が表示されている間にユーザーからの発話の音声命令に対応する動作を選択するように提供する。
【００８３】
例えば、ＵＩ映像２２０（図４参照）が表示されている間に、ユーザーが「つけて」と発話した場合を仮定する。ユーザーは、ＵＩ映像２３０の案内に従って、リモートコントローラで具現されたユーザー入力部１５０上の電源ボタン１５１を押す。制御部１９０は、ユーザーの発話を変換した音声命令とユーザーが操作した電源ボタン１５１とを相互関連付けて、データベース２１０（図３参照）をアップデートする。
【００８４】
ここで、電源ボタン１５１はトグル（ｔｏｇｇｌｅ）方式のものであるから、電源ボタン１５１を押すことによって電源のターンオンまたはターンオフの２動作が行われる。このような場合に、ＵＩ映像２３０は、電源のターンオンまたはターンオフを選択するようにするオプションをさらに提供することができる。
【００８５】
他の例として、ＵＩ映像２２０（図４参照）が表示されている間に、ユーザーが「ボリュームを下げて」という音声命令を発声した場合を仮定する。ユーザーは、ＵＩ映像２３０の案内に従って、ユーザー入力部１５０上のボリュームダウンボタン１５２を押す。すると、制御部１９０は、「ボリュームを下げて」の音声命令に対応してボリュームダウンボタン１５２による動作が行われるように調整する。
【００８６】
すなわち、ユーザーの発話が実際の内容と異なる音声命令に変換されても、当該音声命令に対応する動作をユーザーにより指定または修正できるため、結局としてユーザーの意図にマッチングする動作が行われる。
【００８７】
図６に示すように、他の実施例として、制御部１９０は、ＵＩ映像２２０（図４参照）が表示されている間に発話が入力されると、この発話の音声命令に対応する動作を選択するように、既に設定された複数の動作のリストを含むＵＩ映像２４０を表示することができる。
【００８８】
ＵＩ映像２４０でリストを表示する方式には様々なものがある。例えば、既に設定された順序に従ってスクロール形式で複数の動作項目が表示される方式、いくつかの代表項目を表示した状態で、いずれかの代表項目を選択すると下位項目がポップアップ（ｐｏｐ−ｕｐ）されたりツリー（ｔｒｅｅ）形式で分岐されて表示される方式などがある。
【００８９】
このような方法により、制御部１９０は、データベース上に特定音声命令が第１の動作と指定されている状態で、該音声命令を第１の動作と異なる第２の動作へと指定状態を修正したり、または新しい音声命令を第１の動作に対応するように追加することができる。
【００９０】
一方、第１の動作と第２の動作は同じ機能に対する数値レベルを調整する動作であり、単に、調整する数値レベルのみが異なる場合もある。
【００９１】
例えば、ユーザーの発話の音声命令が「ボリュームを下げて」であり、これに対応する動作が現在ボリュームから７レベルを下げる動作である場合を挙げる。制御部１９０は、上述したようなＵＩ映像を介して既存の７レベルが５レベルに調整されると、調整された事項をデータベースにアップデートする。
【００９２】
制御部１９０は、以降、「ボリュームを下げて」という発話が入力されると、現在ボリュームから５レベルを下げる動作を行う。
【００９３】
このように、ＵＩ映像を介したデータベースのアップデートは、様々なユーザーの意図を反映することができる。
【００９４】
一方、制御部１９０は、複数の発話にそれぞれ対応する複数の動作が、一つの発話により順次に実行されるマクロインストラクション（ｍａｃｒｏ  ｉｎｓｔｒｕｃｔｉｏｎ）を設定することもできる。
【００９５】
図７は、本実施例に係るマクロインストラクションのシーケンスを示す図である。図７に示すように、制御部１９０は、複数の動作を順次に連携させて実行させるためのマクロインストラクションの設定を提供することができ、これは、ＵＩ映像を介してユーザーが設定すればよい。
【００９６】
このようなＵＩ映像の具現方式には様々なものがあり、例えば、既に設定された様々な動作リスト上でシーケンス別動作を順次に選択して指定する方式が可能である。
【００９７】
一例として、ユーザーが就寝予約及びアラーム設定を一挙に自動で実行するためのマクロインストラクションを設定する場合を挙げる。この場合の各動作のシーケンスは、就寝予約機能の選択３１０、ディスプレイ装置１００のシステム電源をターンオフさせる時間３２０、アラーム設定機能の選択３３０、アラームが鳴る時刻３４０、及びシーケンス終了設定３５０の段階を含む。
【００９８】
制御部１９０は、ユーザー入力部１５０を介したユーザーの操作または音声入力部１６０を介した発話などにより上記のようなマクロインストラクションの設定が要請されると、マクロインストラクション設定のためのＵＩ映像を表示する。
【００９９】
図８乃至図１２は、マクロインストラクション設定用のＵＩ映像４１０，４２０，４３０，４４０，４５０を示す図である。
【０１００】
図８に示すように、制御部１９０は、マクロインストラクションの最初の動作を選択するためのＵＩ映像４１０を表示する。ＵＩ映像４１０は、複数の動作のうちいずれか一動作を選択可能に提供され、ユーザーは、ユーザー入力部１５０を操作したり、該当の動作に対応する音声命令を発話したりすることで、マクロインストラクションの最初の動作を選択することができる。この実施例では、ユーザーがＵＩ映像４１０を介して「就寝予約」動作を選択するとする。
【０１０１】
図９に示すように、ユーザーにより「就寝予約」が選択されると、制御部１９０は、どれくらいの時間後にディスプレイ装置１００の電源をターンオフするかを指定するＵＩ映像４２０を表示する。
【０１０２】
ＵＩ映像４２０は、あらかじめ定められた複数の時間の例示を選択可能に提供する。または、ＵＩ映像４２０は、ユーザーが音声で時間を入力したり、ユーザー入力部１５０を介して時間を入力するように提供されてもよい。
【０１０３】
図１０に示すように、制御部１９０は、以上の動作シーケンスを含むマクロインストラクションの設定を終了するか、それとも動作をさらに追加してマクロインストラクションの設定を続けるかを選択するようにするＵＩ映像４３０を表示する。
【０１０４】
ここで、ユーザーは、「終了」を選択してマクロインストラクションの設定を終了したり、または「続く」を選択することができる。
【０１０５】
図１１に示すように、ユーザーがＵＩ映像４３０（図１０参照）で「続く」を選択すると、制御部１９０は、マクロインストラクションの次の動作を選択するようにするＵＩ映像４４０を表示する。ＵＩ映像４４０の形式は、図８の場合と略同様である。
【０１０６】
ユーザーは、ＵＩ映像４４０を介して「アラーム設定」動作を選択する。
【０１０７】
図１２に示すように、制御部１９０は、前の「アラーム設定」動作の選択に応じて、アラームの鳴る時刻を指定するためのＵＩ映像４５０を表示する。
【０１０８】
ユーザーは、ＵＩ映像４５０が表示された状態でユーザー入力部１５０を介して数字を入力したり音声で数字を発話することによって、アラームの鳴る時刻を指定することができる。
【０１０９】
このような一連の設定動作が終わると、制御部１９０は、図１０に示すようなＵＩ映像４３０を表示する。ユーザーが「終了」を選択すると、制御部１９０は、図７のようなシーケンスで動作を実行するマクロインストラクションを記憶部１８０のデータベースに記憶させる。
【０１１０】
以降、ユーザーがマクロインストラクションにおける最初の動作に対応する音声命令、すなわち「就寝予約」に該当する音声命令を発話すると、制御部１９０は、あらかじめマクロインストラクションに設定された通りに複数の動作を順次実行させる。または、マクロインストラクションを設定する過程で、マクロインストラクションを実行させるための新しい音声命令が設定されてもよい。
【０１１１】
このように、ユーザーの簡単な音声命令によって複数の動作を順次に実行させることができる。
【０１１２】
以上の実施例は例示に過ぎず、当該技術の分野における通常の知識を有する者には、様々な変形及び均等な他の実施例が可能である。従って、本発明の真の技術的保護範囲は、添付の特許請求の範囲に記載された発明の技術的思想により定められるべきであろう。
【０１１３】
上記の実施形態につき以下の付記を残しておく。
（付記１）
映像処理装置において、
映像信号を映像で表示されるように処理する映像処理部と、
ユーザーの発話が入力される音声入力部と、
前記発話に対応する音声命令に応じて、既に設定された対応動作が行われるように処理する音声処理部と、
前記音声入力部に入力された前記発話に、前記音声処理部による前記対応動作がマッチングされない場合に、前記音声命令に対する前記対応動作を調整可能にし、前記調整結果に基づいて、前記発話にマッチングされる前記対応動作が行われるように制御する制御部と、
を備えることを特徴とする、映像処理装置。
（付記２）
前記制御部は、前記音声命令に対する前記対応動作の指定状態を調整するＵＩ映像を提供し、該ＵＩ映像を介して、前記ＵＩ映像を通じて所定の発話の音声命令に対応するように指定された前記対応動作が、第１の動作から第２の動作に調整される場合に、前記発話が入力されると前記第２の動作が行われるように制御することを特徴とする、付記１に記載の映像処理装置。
（付記３）
前記ＵＩ映像は、ユーザーが発話するように案内し、
前記制御部は、前記ＵＩ映像の案内に従って前記音声入力部に前記発話が入力されると、 既に設定された複数の前記動作のうち、前記発話の前記音声命令に対応するいずれか一つを前記第２の動作として選択することを特徴とする、付記２に記載の映像処理装置。
（付記４）
前記ＵＩ映像は、ユーザーにより操作されるユーザー入力部に設けられた複数の入力ボタンを操作するように案内し、
前記制御部は、前記既に設定された複数の動作のうち、前記案内に従って操作された前記入力ボタンに既に指定された動作を前記第２の動作として選択することを特徴とする、付記３に記載の映像処理装置。
（付記５）
前記ＵＩ映像は、前記既に設定された複数の動作のリストを含み、
前記制御部は、前記リスト上で選択された前記動作を前記第２の動作として選択することを特徴とする、付記３に記載の映像処理装置。
（付記６）
前記ＵＩ映像は、複数の前記発話と、前記複数の発話にそれぞれ対応する複数の前記動作を一つの前記発話によって順次に実行するマクロインストラクションを設定可能に提供することを特徴とする、付記１に記載の映像処理装置。
（付記７）
前記制御部は、前記マクロインストラクションが含む前記複数の既に設定された動作のうち、最初の動作に対応する前記発話が入力されると、前記マクロインストラクションを実行させることを特徴とする、付記６に記載の映像処理装置。
（付記８）
サーバーに通信可能に接続される通信部をさらに備え、
前記制御部は、前記発話が入力されると、前記音声処理部及び前記サーバーのいずれか一方により前記発話に対応する前記音声命令が処理されるように制御することを特徴とする、付記１に記載の映像処理装置。
（付記９）
前記通信部は、前記発話をテキストの音声命令に変換するＳＴＴ（ｓｐｅｅｃｈ−ｔｏ−ｔｅｘｔ）サーバーと通信し、
前記制御部は、前記音声入力部に前記発話が入力されると、前記発話の音声信号を前記ＳＴＴサーバーに伝送し、前記ＳＴＴサーバーから前記発話に対応する前記音声命令を受信することを特徴とする、付記８に記載の映像処理装置。
（付記１０）
前記制御部は、前記音声命令が短文であると、該音声命令が前記音声処理部により処理され、前記音声命令が対話文であると、該音声命令が前記サーバーにより処理されるように制御することを特徴とする、付記８に記載の映像処理装置。
（付記１１）
前記映像処理部により処理された前記映像信号を映像として表示するディスプレイ部をさらに備えることを特徴とする、付記１に記載の映像処理装置。
（付記１２）
映像処理装置の制御方法において、
ユーザーの発話を受信するステップと、
前記発話に対応する音声命令に応じて、既に設定された対応動作を行うステップと、
前記発話に対して前記対応動作がマッチングされない場合に、前記音声命令に対する前記対応動作を調整可能に提供し、前記調整結果に基づいて、前記発話にマッチングする前記対応動作が行われるように設定するステップと、
を含むことを特徴とする、映像処理装置の制御方法。
（付記１３）
前記設定するステップは、
前記音声命令に対する前記対応動作の指定状態を調整するＵＩ映像を提供するステップと、
前記ＵＩ映像を介して、所定の発話の音声命令に対応するように指定された前記対応動作が第１の動作から第２の動作に調整される場合に、前記発話が入力されると前記第２の動作が行われるように設定するステップと、
を含むことを特徴とする、付記１２に記載の映像処理装置の制御方法。
（付記１４）
前記ＵＩ映像は、複数の前記発話と、該複数の発話にそれぞれ対応する複数の前記動作を一つの前記発話によって順次に実行するマクロインストラクションを設定可能に提供することを特徴とする、付記１２に記載の映像処理装置の制御方法。
【符号の説明】
【０１１４】
１００    映像処理装置／ディスプレイ装置
１１０    映像受信部
１２０    映像処理部
１３０    ディスプレイ部
１４０    通信部
１５０    ユーザー入力部
１６０    音声入力部
１７０    音声処理部
１８０    記憶部
１９０    制御部
【図１】
2014132370.tif 000003
【図２】
2014132370.tif 000004
【図３】
2014132370.tif 000005
【図４】
2014132370.tif 000006
【図５】
2014132370.tif 000007
【図６】
2014132370.tif 000008
【図７】
2014132370.tif 000009
【図８】
2014132370.tif 000010
【図９】
2014132370.tif 000011
【図１０】
2014132370.tif 000012
【図１１】
2014132370.tif 000013
【図１２】
2014132370.tif 000014